(57)【要約】【課題】吸着材の飽和時点を遅延、あるいは解消する機能性生成物を提供する。【解決手段】ゼオライト、合成ゼオライト、活性炭素、シリカゲル等の吸着材に抗菌、脱臭及び有機物や汚れ等の分解を行う機能性補助材を添加、あるいは混合、あるいは含有した機能性生成物により構成される。【特許請求の範囲】
【請求項１】
ゼオライト、合成ゼオライト、活性炭系シリカゲル等の吸着材、脱臭材、消臭セラミック、消臭フィルターに抗菌、脱臭及び有機物、汚れ等の分解を行う機能性補助材を添加、あるいは混合、あるいは含有した機能性生成物。
【請求項２】
機能性補助材が吸着材、脱臭材、消臭セラミック、消臭フィルターの吸着物に対して抗菌、あるいは脱臭、あるいは有機物、あるいは汚れ等の分解の少なくとも一つの機能を備え、吸着材、脱臭材、消臭セラミック、消臭フィルターの飽和を回避する機能を有するものであることを特徴とする請求項１記載の機能性生成物。
【発明の詳細な説明】
【０００１】
【発明の属する技術分野】
この発明は、吸着材、脱臭材、消臭セラミック、消臭フィルターの飽和時点を遅延、あるいは解消する為の機能性補助材に関するものである。
【０００２】
【従来の技術】
従来より臭気、有機物、埃等を吸着する吸着材があった。
【０００３】
【発明が解決しようとする課題】
吸着材が悪臭、有機物等を吸着してくると、徐々に吸着量が落ちていく。
吸着が進み、飽和状態になると吸着作用がなくなり、逆に悪臭を発生するようになる。その為、その都度、吸着材の交換を要す。
本発明は、これらの欠点を解決するために発明されたものである。
【０００４】
【課題を解決するための手段】
この発明の基本的な構造を説明する。
本発明は、吸着材、脱臭材、消臭セラミック、消臭フィルターについた吸着物に対して、吸着物が増殖する菌であった場合に抑制する抗菌剤、吸着物が発臭物であった場合に抑制する脱臭剤、吸着物が汚れ等などの有機物であった場合の有機物分解剤を含有させてなる。
含有物としては以下のものがあげられる。
（イ）  合成ゼオライト、あるいはゼオライト、あるいは活性炭、あるいはシリカゲル吸着剤、脱臭材、消臭セラミック、消臭フィルター
合成ゼオライトの一例を示すならば、結晶性ゼオライトで細孔径は０．３５ｎｍで、脱臭用途では酸性やアルカリ性を問わず、多種の臭を知覚閾以下の低濃度迄吸着除去できる。
特異な吸着性は、ファンデルワールス力による物理吸着と結晶の中に存在する金属カチオンが極性分子の負電荷を静電気的に引きつける吸着とが相まって強められており、しかも完全なその結晶格子は結晶水を脱離した場合にも、また水分等の被吸着物質を吸着した場合にも崩壊したり、潮解することがない。
（ロ）  微粉末状酸化ジルコニウム
自然界の微量放射線の刺激を受けて、含有物より電離作用（イオン化）マイナスイオンは反応性に富むＯＨラジカルを発生し、悪臭、汚れ、有機物と反応して炭酸ガスと水に分解する。
酸化を防ぎ、活性酸素を消滅させ、血液をアルカリ性に乳酸を中和し、抗菌、防臭の効果がある。
効果のプロセス
電離されたＯＨ−（水酸基イオン）は水分子と水和結合してＨ３Ｏ２−（ヒドロキシルイオン界面活性物質）となり、肺内の毛細血管の細胞を通って血液中に入っていく。
マイナスイオンは皮膚表面からも吸収される。
血液は全身の各組織にマイナスイオンを運搬し、血液の酸性化を弱アルカリ性に調整し、乳酸、活性酸素を中和し、コレステロールを解膠（コロイド化）して血管の凝固を柔らげ、血圧を下げ、血行をよくし、新陳代謝や発育、および内分泌機能を向上させる生体細胞の賦活をする等の効果がある。
水分子のクラスターを小さくし、細胞に浸透しやすい水となり、ジアテルミー効果（遠赤外線放射率）の５〜１０μの波長を発生、温熱効果がある。
放射線ホルミシス効果として、生体防御機能を活性化して癒し効果がある。
（ハ）  微粉末状アパタイト複合酸化チタン（アナターゼタイプ）
光触媒として環境浄化が可能な素材として実証済み。
繊維、合成繊維、多孔質材、発泡体、高分子、プラスチック、あるいは塗料（油性及び水性）に含有、添加、練込み、混合、分散等、これらが分解されないように媒体保護の為、酸化チタン微粒子表面に数Åの厚みでアパタイトをコート（被覆量約１％／酸化チタン）してある。
（ニ）  微粉末状無水シリカ
高純度の無水シリカで、分散、懸濁、増粘、揺変、沈降防止等の効果がある。
（ホ）  微粉末状炭酸リチウム
鉄サビを黒サビに変える効果がある不動態化になる。
【０００５】
【発明の実施の形態】
以下、本発明の実施の形態について説明する。
本事例に使用する各成分の特徴、役割を説明する。
（イ）  合成ゼオライト、あるいはゼオライト、あるいは活性炭、あるいはシリカゲル吸着剤、脱臭材、消臭セラミック、消臭フィルター
合成ゼオライトの一例を示す結晶性ゼオライトで、細孔径は０．３５ｎｍで、脱臭用途では酸性やアルカリ性を問わず、多種の臭を知覚閾以下の低濃度迄吸着除去できる。
特異な吸着性は、ファンデルワールス力による物理吸着と結晶の中に存在する金属カチオンが極性分子の負電荷を静電気的に引きつける吸着とが相まって強められており、しかも完全なその結晶格子は結晶水を脱離した場合にも、また水分等の被吸着物質を吸着した場合にも崩壊したり、潮解することがない。
（ロ）  微粉末状酸化ジルコニウム
自然界の微量放射線の刺激を受けて、含有物より電離作用（イオン化）マイナスイオンは反応性に富むＯＨラジカルを発生し、悪臭、汚れ、有機物と反応して炭酸ガスと水に分解する。
酸化を防ぎ、活性酸素を消滅させ、血液をアルカリ性に乳酸を中和し、抗菌、防臭の効果がある。
効果のプロセス
電離されたＯＨ−（水酸基イオン）は水分子と水和結合してＨ３Ｏ２−（ヒドロキシルイオン界面活性物質）となり、肺内の毛細血管の細胞を通って血液中に入っていく。
マイナスイオンは皮膚表面からも吸収される。
血液は全身の各組織にマイナスイオンを運搬し、血液の酸性化を弱アルカリ性に調整し、乳酸、活性酸素を中和し、コレステロールを解膠（コロイド化）して血管の凝固を柔らげ、血圧を下げ、血行をよくし、新陳代謝や発育および内分泌機能を向上させる、生体細胞の賦活をする等の効果がある。
水分子のクラスターを小さくし、細胞に浸透しやすい水となり、ジアテルミー効果（遠赤外線放射率）の５〜１０μの波長を発生、温熱効果がある。
放射線ホルミシス効果として、生体防御機能を活性化して癒し効果がある。
（ハ）  微粉末状アパタイト複合酸化チタン（アナターゼタイプ）
光触媒として環境浄化が可能な素材として実証済み。
繊維、合成繊維、多孔質材、発泡体、高分子、プラスチック、あるいは塗料（油性及び水性）に含有、添加、練込み、混合、分散等を行うことにより、これら媒体が分解されないように媒体保護の為、酸化チタン微粒子表面に数Åの厚みでアパタイトをコート（被覆量約１％／酸化チタン）してある。
微粉末状アパタイト複合酸化チタンに光を当てると（紫外線に反応）、水や溶存酸素等の反応で、ＯＨラジカル等により、種々の有害な化学物質を分解し、炭酸ガスや水などの無害な物質に変える。
光触媒反応は表面反応で対象の物質が表面近くにあり、且つ光が当たっていないと反応が起こらない。
（ニ）  微粉末状無水シリカ
高純度の無水シリカで分散、懸濁、増粘、揺変、沈降防止等の効果がある。
（ホ）  微粉末状炭酸リチウム
鉄サビを黒サビに変える効果がある不動態化になる。
不動態現象は、鉄、コバルト、ニッケルなどの遷移金属の腐蝕を妨げ、錆のない外観を示す時、不動態となったと呼ぶ。
炭酸リチウムは活性が強いので、鉄サビを浮かし、酸化被膜を形成するものと思われる。
水、海水等、絶えず水に浸っている鉄部等に、リチウム含有の塗料は腐蝕を防ぐ意味で有効である。
【０００６】
以下、本発明の実施形態について説明する。
成分比の事例を示す。
事例１
（イ）  吸着剤合成ゼオライト
０．５〜１５重量部、好ましくは１〜１０重量部
（ロ）  微粉末状酸化ジルコニウム
０．５〜４０重量部、好ましくは１〜３０重量部
（ハ）  微粉末状アパタイト複合酸化チタン
０．２〜５重量部、好ましくは０．２〜３重量部
（ニ）  微粉末状無水シリカ
０．１〜５重量部、好ましくは０．１〜３重量部
（ホ）  多孔質材不織布発泡体、あるいはシリコンゴム
１００重量部、好ましくは１００重量部
本発明は以上のような構造で、これを使用する時は、混合比率の少ない（ニ）と（ハ）を混合、攪拌、平均に分散し、順次この要領で（イ）を混ぜ、（ロ）を混ぜて混合分散したものを（ホ）に添加し、混練均一に分散したものを成型する。
吸着作業にマイナスイオンと光触媒より発生するＯＨラジカルにより、抗菌作用と脱臭、防汚効果が吸着面に付着している種々の有害な化学物質や汚れ、悪臭のような化学物質を分解し、炭酸ガスや水などの無害なものに変えることにより、吸着材表面はいつもリフレッシュされ、初期の吸着材に生成さる。
酸化チタンは光が当たらないと効果がないが、マイナスイオンは２４時間、半永久的に分解機能を果たす。
酸化ジルコニウムが添加されていることにより、マイナスイオンの発生とジアテルミー効果による温熱効果があり、飽和時点の解決と癒し効果の複合効果がある。
実施例として
日本食品分析センター  第１０２１１３２４６−００１号
２００２年（平成１４年）１２月１３日
脱臭効果試験報告書
【表−１】
2004255128.tif 000002
2004255128.tif 000003
【表−２】
2004255128.tif 000004
【表−３】
2004255128.tif 000005
2004255128.tif 000006
事例２
事例１のシリコンゴム、不織布等をプラスチックに変えることにより、介護用移動式簡易便器、通常のトイレの便座、フタ本体に練込み、塗装、含浸することにより、脱臭、抗菌、防汚、分解機能を２４時間、半永久的に果す。
成分比の事例を示す。
（イ）  吸着剤合成ゼオライト
０．５〜１５重量部、好ましくは１〜１０重量部
（ロ）  微粉末状酸化ジルコニウム
０．５〜３０重量部、好ましくは１〜２５重量部
（ハ）  微粉末状アパタイト複合酸化チタン
０．２〜５重量部、好ましくは０．２〜３重量部
（ニ）  微粉末状無水シリカ
０．１〜５重量部、好ましくは０．１〜３重量部
（ホ）  プラスチック微粉体あるいはマスターバッチ
１００重量部、好ましくは１００重量部
事例３
事例１のシリコンゴム、不織布等をプラスチックに変え、電気洗濯機に練込み、塗装することにより、電気洗濯機の内面、回転槽の外面に発生するカビ菌汚れをＯＨラジカルによる抗菌と有機物、汚れの分解、界面活性作用により取除くことが出来る。
又、有機物分解作用により、繊維に付着している汚れを取除くことが出来、洗剤の節約になる。
マイナスイオン発生物、あるいは他の物質方法（電気的）により、洗浄している繊維は界面活性効果と水分子のクラスターが小さくなり、繊維の中まで水がより浸透し、汚れを除去し、洗濯物についている静電気の除去とマイナスイオン効果により、洗濯後、生地はサラサラと柔らかくなり、シワが少なく、布帛の柔軟性、風合い、肌触りがよくなる特徴がある。
当然の事として、洗濯機に直接練込む方法と別に、個別に洗濯槽に入れるものとして、セラミックの粒状物、高分子、シリコン、ウレタン、発泡体、繊維、合成繊維等にマイナスイオンパウダーを練込み、成型したものも対象である。
成分比の事例を示す。
（イ）  吸着剤合成ゼオライト
０．５〜１５重量部、好ましくは１〜１０重量部
（ロ）  微粉末状酸化ジルコニウム
０．５〜４０重量部、好ましくは１〜３０重量部
（ハ）  微粉末状アパタイト複合酸化チタン
０．２〜５重量部、好ましくは０．２〜３重量部
（ニ）  微粉末状無水シリカ
０．１〜５重量部、好ましくは０．１〜３重量部
（ホ）  プラスチック微粉体あるいはマスターバッチ
１００重量部、好ましくは１００重量部
事例４
事例１のシリコンゴム、不織布等をプラスチックＰＰ、ＰＥ等に変え、機能性生成物を化粧用容器に添加、練込むことにより、中味の化粧クリーム、化粧水、デオドラントシャンプー等はＯＨラジカルの発生で、鮮度保持、抗菌、マイナスイオンの発生で水分子のクラスターが小さくなり、肌の細胞膜に浸透しやすくなり、化粧クリーム等の乗りが良くなり、中味の変質が防げる。
高級化粧品程、防腐剤、殺菌剤を添加しない傾向が強く、早く変質してしまい使用期限が短い。
これ等を解消する為の鮮度保持容器である。
成分比の事例を示す。
（イ）  微粉末状酸化ジルコニウム
０．５〜２５重量部、好ましくは０．５〜２０重量部
（ロ）  微粉末状アパタイト複合酸化チタン
０．２〜５重量部、好ましくは０．２〜３重量部
（ハ）  微粉末状無水シリカ
０．１〜５重量部、好ましくは０．１〜３重量部
（ニ）  プラスチック微粉体あるいはマスターバッチ
１００重量部、好ましくは１００重量部
事例５
事例１のシリコンゴム、不織布等の材質をＦＲＰに変える事により、クーリングタワー、浄化槽、貯水槽、パネルタンク、浴槽、ユニットバス、タンク、ヘルメット、自動車ボディー等、特にクーリングタワーは毎年レジオネラ菌の発生で問題になっているが、機能性生成物の機能であるマイナスイオンの発生、光触媒の活性等により、ＯＨラジカルによる界面活性効果、有機物の分解、抗菌効果等により内壁の汚れ等が少なくなり、水質改善がなされる。
クーリングタワーはクーラーを冷やす循環水のため、タンク内の水温が比較的高く、藻、コケ等の繁殖に都合がよい。
内壁にヌメリ、コケ、藻、汚れ等がなく、付着していなければ、これ等に寄生し、増殖するレジオネラ菌の発生を防ぐ事が出来る。
クーリングタワーの構造も、界面活性効果、有機物の分解、ホコリ、落下物（異物）等でタンク及びパイプ内の水は汚れる。その為に送り出した水が、タンクに戻って来た処、又は送り出す処、どこか一ケ所あるいは複数個所に不純物を取除く濾過装置を設ければ、レジオネラ菌が寄生する場所がなくなり、再度の発生は防げる。
鉄パイプ内にサビが発生している場合は、微粉末状炭酸リチウムを用いることにより、鉄サビを黒サビに変える効果が期待できる。
浴槽、ユニットバス等は、浴槽内面のヌメリ、タイルのヌメリがなくなり、滑りにくくなり、汚れが付きにくい防汚性である。
水の水分子のクラスターが小さくなり、細胞膜に浸透し易い水となり、肌によくなじみ、皮膚病、アトピー性疾患にも良好と考えられる。
カルキ臭もなくなり抗菌効果もある。
貯水層等の飲料水タンクに用いた場合、カルキ臭もなく、水分子の小さい細胞膜に吸収し易いおいしい水となる。
以下成分比の事例を示す。
（イ）  微粉末状酸化ジルコニウム
０．５〜４０重量部、好ましくは１〜３０重量部
（ロ）  微粉末状アパタイト複合酸化チタン
０．２〜５重量部、好ましくは０．２〜３重量部
（ハ）  微粉末状炭酸リチウム
０．２〜１５重量部、好ましくは０．５〜１０重量部
（ニ）  微粉末状無水シリカ
０．１〜５重量部、好ましくは０．１〜３重量部
（ホ）  ＳＭＣ成形材料−不飽和ポリエステル、充填材、ガラス繊維
１００重量部、好ましくは１００重量部
（ヘ）  ＢＭＣ（射出成形専用機用）
ＳＭＣの成分比でフレーク状、ペレット状のものが作成され使用する。
事例６
事例１のシリコンゴム、不織布等の材質をレザークロスの消化綿ラッカー等に添加することにより、自動車や電車室内等、多く使われているレザークロスに癒し効果、抗菌、脱臭、有機物の分解、マイナスイオンの雰囲気が得られる。
自動車内に例えれば、タバコの臭い、体臭、その他の悪臭すべてを吸着、脱臭し、癒し効果である疲労回復、集中力がつき、安全運転が出来る。
鎮痛、鎮静的で、乳酸、酸性血液をアルカリ系に中和することにより、疲労の回復がなされる。
酸化ジルコニウムの中にシリカが含有されている為、遠赤外線の放射率が高く、体温を吸熱し蓄熱すると体温より高くなり、逆に人体に向って熱が伝導し温かく感じる。
温熱効果、保温効果により、運転手はリラックスをし、全神経が運転に集中できて安全運転につながる。
機能性生成物により、効果が持続出来る自動車の究極の脱臭方法である。
何故なら車内のレザー表面積は全て吸着材に変るためである。
以下成分比の事例を示す。
（イ）  合成ゼオライト
０．５〜２０重量部、好ましくは１〜１５重量部
（ロ）  微粉末状酸化ジルコニウム
０．５〜４０重量部、好ましくは１〜３０重量部
（ハ）  微粉末状アパタイト複合酸化チタン
０．２〜５重量部、好ましくは０．３〜３重量部
（ニ）  微粉末状無水シリカ
０．１〜５重量部、好ましくは０．１〜３重量部
（ホ）  レザークロス用消化綿ラッカー
１００重量部、好ましくは１００重量部
事例７
事例１のシリコンゴム、不織布等の材質を塗料（油性、水性）に入れ替えることにより、防汚、抗菌、脱臭、親水性、有機物の分解、吸着の飽和を限りなく永続させる塗料が出来る。
この塗料は一般塗料として使える一方、炭酸リチウムを加えると船底防染塗料（ＡＦ）２号塗料として使える。
現在使われている船底防染塗料は生き物の付着防止を目的としているが、水銀、銅、砒素化合物、黄色酸化水銀、亜酸化銅、有機スズ等を海水に微溶液の防汚剤として使用しているため、公害汚染となる。
海水に絶えず浸かっている船底鉄部に、リチウム含有の塗料は鉄サビを不動態化する腐蝕を防ぐ意味で有効である。
船底にアオノリ、アオサ等の海草が付き、フジツボ、セルプラ、貝類も付着する。
本発明の塗料は、マイナスイオンと光触媒作用によるＯＨラジカルによる界面活性効果と有機物分解効果と船の走行中による海水と船底との接触水圧により、汚れは絶えず洗われて、海草等はあまり付着しないと考える。
問題は貝類であるが、吸盤についている粘膜で船底の壁面に付着する有機物の分解作用で粘膜の機能が失せて脱落する。
酸化ジルコニウムの添加量を増加し、マイナスイオン数を多くすることにより、塗膜と海水との接触面、界面に於ては強力なＯＨラジカルにより、界面活性効果が働き、海草、貝類はつきにくくなる。
船底防染塗料に使われている炭酸リチウムを、船底防蝕塗料ＡＩＣ１号塗料に用いる船舶鋼板の錆止を目的とするもので、炭酸リチウムを加えることにより、鉄サビを黒サビにする不動態となる機能がある。
以下成分比の事例を示す。
（イ）  合成ゼオライト（一般塗料用）
０．５〜１５重量部、好ましくは０．５〜１０重量部
（ロ）  微粉末状酸化ジルコニウム
０．５〜６０重量部、好ましくは１〜５０重量部
（ハ）  微粉末状アパタイト複合酸化チタン
０．２〜５重量部、好ましくは０．２〜３重量部
（ニ）  微粉末状無水シリカ
０．１〜５重量部、好ましくは０．２〜３重量部
（ホ）  微粉末状炭酸リチウム
０．５〜２０重量部、好ましくは１〜１５重量部
（ヘ）  表面コート用塗料
１００重量部、好ましくは１００重量部
（ト）  船底防蝕１号塗料
１００重量部、好ましくは１００重量部
（チ）  船底防染２号塗料
１００重量部、好ましくは１００重量部
上記成分比に基き
（イ）  微粉末状酸化ジルコニウム
（ロ）  微粉末状アパタイト複合酸化チタン
（ハ）  微粉末状無水シリカ
（ニ）  表面コート用塗料
を混合攪拌、分散し、金属製、プラスチック製の化粧容器、食品容器の内面に塗布することにより、事例４と同じ機能である鮮度保持容器、中味が変質しない、マイナスイオンの効果で化粧水の水分子が小さくなり化粧の乗りが良い、肌に吸収され易い等の化粧品、容器が得られる。
事例８
事例１の微粉末状酸化ジルコニウムを単独で使うか、無水シリカ、あるいは微粉末状アパタイト複合酸化チタンを複合して使用するか、マイナスイオン発生の微粉末状酸化ジルコニウムを化粧クリーム、あるいはマッサージクリーム、化粧水、あるいはデオドラントシャンプー等に利用した時、直接肌に塗り込む為、水分子のクラスターが小さくなり、皮膚の細胞より化粧品の浸透が非常に早い。
化粧クリーム等にマイナスイオンセラミックを増量５〜６０重量部以上を入れると癒し効果大で疲れが軽くなる機能がある。
化粧品クリーム、あるいはマッサージクリームを接着剤、あるいは天然樹脂シェラック、あるいは粘着剤に置き変えることにより、繊維、合成繊維、テープ、多孔質材、不織布に塗布、含浸、印刷することにより、マイナスイオン効果で、疲れ、痛み部分に貼付けることが出来る。
以下成分比の事例を示す。
（イ）  微粉末状酸化ジルコニウム
１〜６０重量部  好ましくは１〜５５重量部
（ロ）  化粧クリーム、あるいはマッサージクリーム
１００重量部  好ましくは１００重量部
あるいは化粧水、あるいはデオドランドシャンプー
１００重量部、好ましくは１００重量部
あるいは接着剤、あるいは粘着材
１００重量部、好ましくは１００重量部
健康シーツの作り方
（イ）  合成ゼオライト
０．５〜１５重量部、好ましくは１〜１０重量部
（ロ）  微粉末状酸化ジルコニウム
０．５〜５０重量部、好ましくは１〜４０重量部
（ハ）  微粉末状アパタイト複合酸化チタン
０．２〜５重量部、好ましくは０．２〜３重量部
（ニ）  微粉末状無水シリカ
０．１〜５重量部、好ましくは０．１〜３重量部
（ホ）  天然樹脂シェラック、あるいは高分子、あるいはシリコンゴム
１００重量部、好ましくは１００重量部
上記配合にて混合分散させ、天然樹脂シェラック、あるいはシリコンゴム、あるいは高分子の樹脂に練込み、混合、攪拌し、繊維生地、木綿生地等、不織布、合成繊維等に適量含浸、塗布、印刷により加工を施すことにより、健康シーツが出来上がる。
マイナスイオン効果と温熱効果の相乗効果でθ波α波β波が発生することにより、睡眠誘発、癒し、精神安定の効果が見られる。
又セラミックパウダーを直接、繊維、合成繊維、低発泡ウレタンに練込み、健康シーツを作る事により、癒し効果、温熱効果、睡眠誘発効果、脱臭効果、失禁対策、床づれ予防に効果がある。
事例９
事例１の微粉末状酸化ジルコニウム、あるいは微粉末状アパタイト複合チタン、あるいは微粉末状無水シリカ、これらの一点あるいは複合材として使用することにより、便秘、胃モタレ、脚のケイレン等の症状を緩和する。
これらはいずれも体内の排泄物となるべき食物のカスが体内に滞った酸化物であり、疲労素の蓄積により引起される現象である。
体内細胞、あるいは血液が酸性状態となってＰＨが極端に低下し酸性化すると筋肉が硬直化し痛みが出る。
筋肉が収縮するにはＡＴＰ（アデノシン三ミリン酸）と云うエネルギーが必要で、細胞内が酸性化するとＡＴＰを作るための種々の酵素が働かなくなり、筋肉に酸素や栄養素を送り込む血管が圧迫されて、酸素不足のためＡＴＰが作られない。
これを解消する為に酸化ジルコニウムクリームを腹部、胃部、胸部、脚部に１〜２ｇあるいはそれ以上直接塗り込むことにより、肌より直接マイナスイオンが浸透し、筋肉細胞内及び血液中の乳酸、活性酸素等を中和することにより、ＡＴＰの働きにより、筋肉が収縮し、疲労素がなくなり、上記症状は緩和される。
以下成分比の事例を示す
（イ）  微粉末状酸化ジルコニウム
５〜１０重量部、好ましくは１０〜２０重量部、より好ましくは２１〜８０重量部
（ロ）  微粉末状アパタイト複合酸化チタン
０．３〜２重量部、好ましくは０．３〜３重量部、より好ましくは０．５〜３重量部
（ハ）  微粉末状無水シリカ
０．５〜３重量部、好ましくは１〜５重量部、より好ましくは２〜８重量部
（ニ）  化粧クリームあるいはマッサージクリーム
１００重量部、好ましくは１００重量部、より好ましくは１００重量部
事例１０
事例１の酸化ジルコニウムを用いて、多孔質材、不織布、繊維、合成繊維に練込み、含浸、塗布、印刷することにより、使い捨て寝間衣、白衣等に利用することにより、癒し効果と温熱効果がある。
以下成分比の事例を示す
（イ）  微粉末状酸化ジルコニウム
０．５〜２０重量部、好ましくは１〜３０重量部
（ロ）  微粉末状無水シリカ
０．１〜３重量部、好ましくは０．１〜５重量部
（ハ）  不織布等
１００重量部、好ましくは１００重量部
事例１１
事例１の吸着剤合成ゼオライト、あるいは微粉末状酸化ジルコニウム、微粉末状アパタイト複合酸化チタン、あるいは微粉末状無水シリカ等を繊維、合成繊維、不織布、あるいはスポンジ等の発泡体、多孔質材に練込み、含浸、塗布、印刷等を行うことにより、エアコン、空気清浄機、消臭器、電気掃除機のゴミ袋、花粉症、端息、歯痛、シックハウス症候群に有効なマスク、あるいはフィルター等が出来る。
以下成分比の事例を示す
（イ）  吸着剤合成ゼオライト
０．５〜１５重量部、好ましくは１〜１０重量部
（ロ）  微粉末状酸化ジルコニウム
０．５〜４０重量部、好ましくは１〜３５重量部
（ハ）  微粉末状アパタイト複合酸化チタン
０．２〜５重量部、好ましくは０．２〜３重量部
（ニ）  微粉末状無水シリカ
０．１〜５重量部、好ましくは０．１〜３重量部
（ホ）  不織布、多孔質体発泡体
１００重量部、好ましくは１００重量部
繊維、合成繊維、スポンジ、高分子
１００重量部、好ましくは１００重量部
事例１２
事例１のシリコン、あるいは不織布等をプラスチックに置き変え、練込み、塗布、印刷等を行うことにより、電気冷蔵庫内は、常時密閉されており、マイナスイオンは２４時間半永久的に絶えることなく発生しており、イオン雰囲気で浮遊菌の増殖を抑え除菌し、庫内の壁面全体が脱臭と抗菌機能が飽和時点を迎える事なく長期に渡り機能を果す。
電気冷蔵庫内に、セラミックを用いて、マイナスイオンを発生させることを特徴とした鮮度保持冷蔵庫である。
合成ゼオライトはエチレンガスの吸収剤であり、他の異臭、腐敗臭も吸着、脱臭をしており、吸着剤に吸着した悪臭である有機物は、菌も含めてイオンのＯＨラジカルにより有機物は分解され、吸着面はいつもリフレッシュされた状態になる。
庫内に取付けの給水タンク及び、製氷皿に練込み、塗布、印刷等を行うことにより、カルキ臭のない水分子のクラスターが小さくなり、細胞に吸収されやすい、まろやかな甘味のあるおいしい水又は氷が出来る。
鮮度保持の条件
（イ）  庫内の低温、約２℃前後
（ロ）  高湿度を維持する。９５％を持って蒸散水の抑制を計る。
（ハ）  エチレンガスの抑制及び吸着脱臭
（ニ）  酸化防止、除菌
（ホ）  腐敗や臭いの原因である細菌、カビ菌等の増殖を抑える。
（ヘ）  ジアテルミー効果、遠赤外線放射率の高いセラミック使用により、生鮮食品物が持っている固有の磁波とセラミックより放出される磁波との共有、共鳴、増幅による細胞内の活性化以上の機能を満す事により、鮮度保持冷蔵庫が出来る。
以下成分比の事例を示す
（イ）  微粉末状合成ゼオライト
０．５〜２０重量部、好ましくは１〜１５重量部
（ロ）  微粉末状酸化ジルコニウム
０．５〜４０重量部、好ましくは１〜３０重量部
（ハ）  微粉末状アパタイト複合酸化チタン
０．２〜５重量部、好ましくは０．２〜３重量部
（ニ）  微粉末状無水シリカ
０．１〜５重量部、好ましくは１〜３重量部
（ホ）  プラスチック微粉末、あるいはマスターバッチ
１００重量部、好ましくは１００重量部
事例１３
事例１の微分末状合成ゼオライト、あるいは微粉末状酸化ジルコニウム、あるいは酸素欠陥型酸化チタン、あるいは微粉末状アパタイト複合酸化チタン、あるいは微粉末状無水シリカを用いて、タバコの有害物質である酸化物（陽イオン）、タバコの臭い、タバコの煙、ニコチン、タール等をマイナスイオン（陰イオン）で中和、あるいは有機物の分解、あるいはフィルターに吸着等により有害物質を減少させる。
特殊のグラスファイバーフィルター、あるいはパルプで出来ているプレフィルターは粗である為、別にプレフィルターの両端又は中間を切断して、多孔質体である不織布（タバコの煙を通さない細孔を有する事）の密なるものを挿入、あるいは上記配合物をタバコの巻紙、プレフィルター、不織布、フィルター等に練込み、含浸、塗布することにより上記機能が発揮される。
平成１５年２月５日付の日本経済新聞に、財務省は諸外国の例を参考に、タバコの注意文章に「喫煙は肺に悪い」と喫煙と健康の関係をはっきりと示す内容にするとの事、これに対し、日本タバコ産業（株）の相談センターは、ニコチン、タールは認めるが、「全部小便で排出される」と加害者意識はゼロである。
又、村松茂登彦氏が「タバコの燃焼と煙成分の生成」と云う論文を書いているが、両者とも発想の転換をしなければ、この問題は解決しない。
国（財務省）が喫煙は肺に悪いと表明しているのだから、これは真撃に受け止めなければいけない。
日本でも医学の先輩はすでに研究済である。
例１
肺結核患者の喀血（肺臓又は気管支から出血する事）は風速、湿度、気圧、気温等の気候要件に関係なく、陽イオンの増量の際に多く現れる事実を観察した。
例２
急性気管支肺炎に陰イオン浴を試み、咳嗽、血液循環等に好影響を認めたとある。
いかに低タール、低ニコチン化を機械的に組上げたとしても、酸化物（陽イオン）は酸化物で肺内に吸収される（肺内は酸化物で冒される）。
抜本的な解決方法は、陽イオンである酸化物を取除き、中性又はアルカリ性（陰イオン化）にすることであるマイナスイオンは陽イオンを中和する。
論文によると、タバコ内の温度分布で最高温度８００℃との事、高温を急速低温にした時、フィルター内は水分子が発生する。
マイナスイオンは水分子のクラスターを小さくする作用があり、細胞膜に浸透しやすい水を作り、肺内の酸化物をアルカリ性にすることにより、まろやかでおいしい空気（清浄な）が吸えるのではないか。
従来云われている、肺に悪い、ガンの元であると云われなくて済むのではないか。
低濃度放射線をホルミシス効果として、ガンの抑制、糖尿病の抑制で医療関係で注目されている。
今後はマイナスイオンの配合のタバコを多く吸えば吸う程、身体に良い、健康に良いとの評価を得られるのではないだろうか。
以下成分比の事例を示す
（イ）  微粉末状酸化ジルコニウム
０．１〜４０重量部、好ましくは０．１〜３５重量部
（ロ）  巻紙、あるいはプレフィルター、
１００重量部、好ましくは１００重量部
事例１４
事例１の微粉末状酸化ジルコニウム、あるいは微粉末状無水シリカの混合物を繊維、合成繊維、衣服、肌着、下着、ブラジャー、靴下等に練込み、含浸、印刷、塗布することにより、繊維等に生じる静電気を防止する事が出来る。
以下成分比の事例を示す
（イ）  微粉末状酸化ジルコニウム
０．５〜３５重量部、好ましくは０．１〜３０重量部
（ハ）  微粉末状無水シリカ
０．２〜５重量部、好ましくは０．１〜３重量部
（ニ）  繊維、あるいは合成繊維
１００重量部、好ましくは１００重量部
【０００７】
【発明の効果】
（イ）  従来の吸着方法で、マイナスイオン、光触媒の半永久的に放出するＯＨラジカルを利用して、吸着剤の吸着面の悪臭、有機物の分解を行い、吸着材のリフレッシュを行い、限りなく飽和点を先に延す。
このように飽和状態を解決した。
（ロ）  この機能補助材をうまく組合せ使用することにより、人間の居住空間と環境、癒しの問題等をほぼ理想的に解決できる。